(57)【要約】【課題】不快さを低減させるインナーウェアを提供する。【解決手段】電気刺激装置用インナーウェアにおいて、衣服部は、所定の対象身体部位に電気刺激を与える電極を含む電気刺激装置が配置された基台を装着可能な装着部が対象身体部位に対応する位置に設けられた電気刺激装置装着用フィットネスウェアの肌側に着用可能である。衣服部には、電気刺激装置装着用フィットネスウェアの肌側に着用した場合に対象身体部位に対応する位置であって電気刺激装置装着用フィットネスウェアの装着部に対向する外表面位置に非導電性物質で形成された絶縁部が設けられる。【選択図】図１９
2019151957.tif 000002
【特許請求の範囲】
【請求項１】
所定の対象身体部位に電気刺激を与える電極が配置された電気刺激装置用フィットネスウェアの肌側に着用可能である衣服部と、
前記衣服部を前記電気刺激装置用フィットネスウェアの肌側に着用した場合に前記衣服部における前記対象身体部位に対応する位置であって前記電極に対向する外表面位置に非導電性物質で形成された絶縁部と、
を備えることを特徴とする電気刺激装置用インナーウェア。
【請求項２】
所定の対象身体部位に電気刺激を与える電極が配置された電気刺激装置用フィットネスウェアの肌側に着用可能である衣服部と、
前記衣服部を前記電気刺激装置用フィットネスウェアの肌側に着用した場合に前記衣服部において前記対象身体部位に対応する位置であって前記電極に対向する外表面位置に導電性物質が非導電性物質で囲まれて形成された導電部と、
を備えることを特徴とする電気刺激装置用インナーウェア。
【発明の詳細な説明】
【技術分野】
【０００１】
本発明は、運動用の衣類に関する。
【背景技術】
【０００２】
人間の身体的運動に用いる運動器具として、例えば筋肉電気刺激装置がある。筋肉電気刺激装置は、筋肉に微弱な電流を流して筋肉を緊張および弛緩させることで、筋肉を運動させて筋力強化を図ることが期待される（例えば、特許文献１参照）。
【先行技術文献】
【特許文献】
【０００３】
【特許文献１】特開２０１７−６６４４号公報
【特許文献２】スペイン国特許出願公開第１１２９００５Ｕ号明細書
【発明の概要】
【発明が解決しようとする課題】
【０００４】
複数の筋肉電気刺激装置を利用して全身の筋肉を同時に鍛えるために、各装置を身体に固定するためのフィットネス用衣類が知られている（例えば、特許文献２参照）。しかしながら、従来のフィットネス用衣類の場合、インナーウェアを全体的にわざわざ濡らして通電させる必要があり、ユーザにとって不快の原因になっていた。
【０００５】
本発明は、こうした状況に鑑みてなされたものであり、その目的は、不快さを低減させるインナーウェアを提供することにある。
【課題を解決するための手段】
【０００６】
上記課題を解決するために、本発明のある態様の電気刺激装置用インナーウェアは、所定の対象身体部位に電気刺激を与える電極が配置された電気刺激装置用フィットネスウェアの肌側に着用可能である衣服部と、衣服部を電気刺激装置用フィットネスウェアの肌側に着用した場合に衣服部における対象身体部位に対応する位置であって電極に対向する外表面位置に非導電性物質で形成された絶縁部と、を備える。
本発明の別の態様もまた、電気刺激装置用インナーウェアである。この電気刺激装置用インナーウェアは、所定の対象身体部位に電気刺激を与える電極が配置された電気刺激装置用フィットネスウェアの肌側に着用可能である衣服部と、衣服部を電気刺激装置用フィットネスウェアの肌側に着用した場合に衣服部において対象身体部位に対応する位置であって電極に対向する外表面位置に導電性物質が非導電性物質で囲まれて形成された導電部と、を備える。
【発明の効果】
【０００７】
本発明によれば、不快さを低減させるインナーウェアを提供できる。
【図面の簡単な説明】
【０００８】
【図１】実施の形態に係る運動制御システムを示す模式図である。
【図２】筋肉電気刺激装置の一例である電気刺激モジュールの外観例を示す図である。
【図３】変形例における電気刺激モジュール１０の電極付近の外観および断面を模式的に示す図である。
【図４】フィットネスウェアのうち上半身用衣服部の表面側を模式的に示す図である。
【図５】上半身用衣服部の前身頃の内部構造を模式的に示す図である。
【図６】ベルトを拡大した図である。
【図７】フィットネスウェアのうち上半身用衣服部の裏面において各身体部位に対応する位置に電気刺激モジュールを装着するための装着部とその配置を模式的に示す図である。
【図８】前身頃と脇腹と後ろ身頃の接続部分およびその拡大部分を示す図である。
【図９】フィットネスウェアのうち上半身用衣服部の裏面において各装着部に電気刺激モジュールを装着した状態を模式的に示す図である。
【図１０】フィットネスウェアのうち下半身用衣服部の表面側を模式的に示す図である。
【図１１】フィットネスウェアのうち下半身用衣服部の裏面において各身体部位に対応する位置に電気刺激モジュールを装着するための装着部とその配置を模式的に示す図である。
【図１２】フィットネスウェアのうち下半身用衣服部の裏面において各装着部に電気刺激モジュールを装着した状態を模式的に示す図である。
【図１３】変形例における下半身用衣服部の表面側を模式的に示す図である。
【図１４】変形例における下半身用衣服部の内部構造を模式的に示す図である。
【図１５】変形例における下半身用衣服部の裏面側において各装着部に電気刺激モジュールを装着した状態を模式的に示す図である。
【図１６】フィットネスウェアのうちアームバンドの表面側を模式的に示す図である。
【図１７】フィットネスウェアのうちアームバンドの裏面において各身体部位に対応する位置に電気刺激モジュールを装着するための装着部とその配置を模式的に示す図である。
【図１８】フィットネスウェアのうちアームバンドの裏面において各装着部に電気刺激モジュールを装着した状態を模式的に示す図である。
【図１９】上半身用のインナーウェアを模式的に示す図である。
【図２０】下半身用のインナーウェアを模式的に示す図である。
【図２１】電気刺激モジュールの機能構成を示すブロック図である。
【図２２】運動制御装置の機能的構成を示す機能ブロック図である。
【発明を実施するための形態】
【０００９】
筋肉電気刺激装置のユーザの中には、より本格的に、あるいはより効率的に、筋肉電気刺激装置を利用して全身の筋肉を同時に鍛えたいと考えるユーザが少なからずいる。また、そのような全身の筋肉を同時に鍛えるための複数の筋肉電気刺激装置を利用した運動プログラムをフィットネスジムのような場所で複数人のユーザに同時に提供することも考えられる。複数の身体的部位を対象に複数の装置を同時利用する場合、より簡単な手順で実行できるのが好ましい。また、運動に対するユーザの動機や意欲を高めるためにも、運動プログラムの提供場所や用いる器具、フィットネスウェアの一つ一つに美観が求められる。しかしながら、従来のフィットネス用衣類の場合、筋肉電気刺激装置や多数の電気ケーブルが衣類から露出して美観を損ねていただけでなく、剥き出しの電気ケーブルの存在がユーザの動きを制限してしまう場合があった。電気ケーブルがいくつも剥き出しとなる場合、一部に接触不良や断線が生じやすい問題もあった。また、筋肉電気刺激装置の電極を身体に密着させる必要がある結果、フィットネス用衣類自体も身体に密着するものが用いられるため、ユーザの体型が他者から容易に視認できる衣類となってしまい、ユーザの動機を阻害しかねないウェアもあった。さらに、筋肉電気刺激装置の配線が露出していると、複数ユーザの同時使用時に配線をひっかけるおそれもある。一方、単純に緩いウェアを用いてしまうと、筋肉電気刺激装置の電極が身体から離れて浮きやすくなり、電気刺激の効果が得にくくなるおそれがある。また、フィットネスジムのように多数のユーザに運動プログラムを提供する環境では、ウェアに対して繰り返し簡単に筋肉電気刺激装置を着脱でき、ウェアのみを容易に繰り返し洗濯できる必要がある。
【００１０】
そこで、本実施の形態においては、電気刺激装置を装着できるフィットネスウェアを実現するとともに、さらに内側に専用のインナーウェアを着用することで電気刺激装置の機能をより高く発揮させる。
【００１１】
本実施の形態における、ある態様の電気刺激装置用フィットネスウェアは、身体に着用可能な形態を有する衣服部と、所定の対象身体部位に電気刺激を与える電極を含む電気刺激装置が配置された基台を装着可能であって、衣服部の裏面にて電極の少なくとも一部が身体に接近し得るよう衣服部における対象身体部位に対応する位置に設けられる装着部と、衣服部を身体へ密着させるための締結部と、を備える。電気刺激装置は、無線通信を介して制御可能であってもよい。その場合、配線が基台と衣服内に収まることで、配線が露出せず意匠上有利であり、また、電気刺激装置の断線のおそれを低減できる。
【００１２】
本実施の形態における、ある態様の電気刺激装置用インナーウェアは、所定の対象身体部位に電気刺激を与える電極が配置された電気刺激装置用フィットネスウェアの肌側に着用可能である衣服部と、衣服部を電気刺激装置用フィットネスウェアの肌側に着用した場合に衣服部における対象身体部位に対応する位置であって電極に対向する外表面位置に非導電性物質で形成された絶縁部と、を備える。
別の態様の電気刺激装置用インナーウェアは、所定の対象身体部位に電気刺激を与える電極が配置された電気刺激装置用フィットネスウェアの肌側に着用可能である衣服部と、衣服部を電気刺激装置用フィットネスウェアの肌側に着用した場合に衣服部において対象身体部位に対応する位置であって電極に対向する外表面位置に導電性物質が非導電性物質で囲まれて形成された導電部と、を備える。
【００１３】
「電気刺激装置用フィットネスウェア」における「衣服部」と、「電気刺激装置用インナーウェア」における「衣服部」は、それぞれ所定の生地で縫製され、ユーザが着用できるように構成される。「電気刺激装置用フィットネスウェア」における「衣服部」は、「電気刺激装置用フィットネスウェア」のうち「装着部」と「締結部」を除いた衣服部分であってよいし、「電気刺激装置用インナーウェア」における「衣服部」は、「電気刺激装置用インナーウェア」のうち「絶縁部」または「導電部」を除いた衣服部分であってよい。これらの「衣服部」は、上半身に着用する衣服と下半身に着用する衣服と腕に着用する衣服のいずれか一つまたは複数であってよい。上半身に着用する衣服の場合、長袖、半袖、袖無しのいずれであってもよい。下半身に着用する衣服の場合、ロングパンツ、ショートパンツのいずれであってもよい。腕に着用する衣服の場合、アームバンドの形状であってもよい。変形例としての「衣服部」は、上半身や下半身の全体に着用する衣服に代えて、腕部の他、頭部、首、胸部、腹部、脚部、足などの局所に着用する被服として実現されてもよい。「締結部」は、ベルトや面ファスナー、ラチェット式巻取締結具であってもよい。「装着部」は、衣服部の裏面の複数箇所に設けられてもよい。
【００１４】
「基台」には電極が配置される他、電源、無線通信モジュール、制御回路等の電気刺激装置の各構成が筐体に収められて配置されることで、これらを一体とした電気刺激モジュールが構成されてもよい。「装着部」には、電気刺激モジュールの全体がそのまま面ファスナーなどの取付部材を介して着脱自在に装着可能となっていてもよく、複数の「装着部」に個別に電気刺激モジュールが装着されてもよい。この場合、電気刺激モジュールは、衣服部の外部からは視認困難な状態となる形で「装着部」に装着される。また、複数の「装着部」に装着される複数の電気刺激モジュールは、それぞれが個別に電源および無線通信モジュールを内蔵するため、電気刺激モジュール同士や電気刺激モジュールと他の電源等の装置とをケーブルで電気的に接続する必要がなく、「装着部」からケーブルがはみ出て剥き出しになることもない。また、一つの電源および無線通信モジュールから複数の電気刺激装置へ電気的に接続する方式ではなく、各電気刺激装置に個別の電源と無線通信モジュールを内蔵させたことにより、電源そのものの小型化も可能となる。これらにより、整然として均整のとれた外観の筋肉電気刺激装置用フィットネスウェアを実現できる。「装着部」に装着される装置と外部装置とをケーブルで接続する必要がないため、表側に貫通させる孔を形成する必要がない。以上のように、電気刺激装置使用時にユーザが着用するウェアをフィットネスウェアとインナーウェアに分けて構成する。もし、ユーザの肌に直接触れるインナーウェアに相当する軽量衣服に対して直接、複数の電気刺激装置を装着する仕様にしてしまうと、その軽量衣服は複数の電気刺激装置の重みに耐えきれずに皺が寄るなどの変形をし、通電不良の原因となりかねない。また、軽量衣服に電気刺激装置を装着しても、ユーザの身体への密着性に乏しく、十分に電気刺激を加えられないおそれがある。一方、軽量衣服に身体密着用の締結ベルトを設けたとしても、皺が寄るなどの変形を起こして通電不良の原因となりかねない。この点、フィットネスウェアとインナーウェアに分けた上で、インナーウェアの上から外側に着用するフィットネスウェアに電気刺激装置を装着してベルト等で締める構造とすることで、身体への密着性を保ち、ウェアの変形を防止することができ、良好な通電状態を実現できる。
【００１５】
以下、各図面に示される同一または同等の構成要素、部材、工程には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１６】
＜運動制御システム＞
図１は、実施の形態に係る運動制御システム１００を示す模式図である。本実施の形態においては、複数のユーザが同時に複数の筋肉電気刺激装置により電気刺激が与えられながら、その電気刺激のパターンに合わせた指示の通りに自ら身体を動かすことで、より短時間でより効率的に筋肉強化を図る運動プログラムの実行を前提とする。運動制御システム１００は、複数の電気刺激モジュールを装着した複数のフィットネスウェア１０２と、運動制御装置１２と、表示制御装置１０４と、表示装置１０６と、を備える。運動制御装置１２、表示制御装置１０４、表示装置１０６をセットとして、１セットまたは複数セットがフィットネスジムのスタジオに設置され、１セットにつき例えば７人までの複数ユーザのそれぞれに上下１セットおよび一対のアームバンドで構成されるフィットネスウェア１０２と図示しない上下１セットのインナーウェアが用意される。電気刺激モジュール１０は、例えばユーザの腹筋、脇腹、胸筋、背筋、腕、脚、臀部などの各身体部位を対象として電気刺激を与えられるようにフィットネスウェア１０２の各箇所に装着される。複数ユーザ分のフィットネスウェア１０２のそれぞれに複数の電気刺激モジュールが装着される。電気刺激モジュールは、ユーザの筋肉に電気刺激を与える。複数の電気刺激モジュールは、それぞれＢｌｕｅｔｏｏｔｈ（登録商標）などの近距離無線通信により運動制御装置１２と通信して情報を送受信する。運動制御装置１２との通信で実行開始が指示される運動制御プログラムが、複数ユーザの複数の電気刺激モジュールのそれぞれにおいて電圧設定および動作を制御する。運動制御装置１２はネットワークケーブル１０８を介したローカルエリアネットワークにて表示制御装置１０４との間で情報を送受信する。表示制御装置１０４は、運動制御装置１２で実行される運動制御プログラムの指示にしたがい、表示装置１０６に運動の映像を表示するコンピュータである。
【００１７】
運動制御装置１２は、フィットネスジムのトレーナーまたはユーザにより操作される情報端末である。運動制御装置１２は、ユーザごと、および、電気刺激モジュール１０ごとの強度設定や操作を制御する。運動制御装置１２は、複数ユーザ分の複数の電気刺激モジュールのハブとして機能するため、トレーナーまたはユーザは複数の電気刺激モジュールを個々に設定して操作するよりも運動制御装置１２を操作して複数の電気刺激モジュールを一括制御する方が効率的である。また、複数ユーザ分の動作を同期させて一斉に同じプログラムで制御することができる。
【００１８】
運動制御装置１２は、運動プログラムの解説や動きの手本となる映像を複数の電気刺激モジュールの制御と同期させる形で、表示制御装置１０４を介して表示装置１０６に表示させる。ただし、各電気刺激モジュールとの無線通信の遅延等も考慮し、電気刺激モジュールの制御パルスと完全に同期するタイミングで動きの映像を表示するのではなく、所定周期分を遅らせたタイミングで映像を表示させてもよい。表示制御装置１４は、ユーザの動きを撮影できるカメラを内蔵してもよく、運動プログラムに合わせて運動を実行中のユーザの映像を撮影するとともに、その映像もしくはユーザの動きの分析に基づく骨格の動きを再現した映像を表示装置１０６に表示してもよい。運動制御装置１２は、超音波センサを有する超音波プローブ１３を備え、ユーザの腹部などの脂肪や筋肉の厚みを測定できる。
【００１９】
このように、本実施の形態における運動プログラムは、電気刺激モジュール１０によって電圧を制御する運動制御プログラムと、運動制御装置１２によって複数ユーザの複数の電気刺激モジュール１０に対して開始信号などの制御信号を送信しながら表示装置１０６に同期した映像を表示させる運動制御プログラムとの連動で実現される。また、各ユーザは、表示装置１０６に表示された映像を手本として自らの身体を動かすことで運動プログラムが実行される。すなわち、この運動プログラムにおいては、筋肉に電気刺激を与える間、その逆方向に意識的に筋肉を動かすことで、運動効果を高めることができる。例えば、電気刺激により肘を曲げる動き（不随意運動）をさせながら、意識的に腕を伸ばす力を加える（随意運動）運動を行うことで、かかる筋力負荷を増大させることができる。
【００２０】
＜電気刺激モジュール＞
図２は、筋肉電気刺激装置の一例である電気刺激モジュールの外観例を示す。図２（ａ）は電気刺激モジュール１０の平面側斜視図である。電気刺激モジュール１０は、基台２１、筐体２０、第１電極３１、第２電極３２、第１電極接続ワイヤー３５、第２電極接続ワイヤー３６、第１電極接続部３３、第２電極接続部３４を主に備える。基台２１は、電気刺激モジュール１０の各構成が載置される略長方形などの矩形状に形成された基礎となる部材であり、例えば形状安定性があり、軽量性のある繊維素材で編み込まれたタフタなどの生地で形成される。基台２１は繊維素材であるため、洗濯や煮沸消毒により衛生状態を維持できる。基台２１には、シート状の第１電極３１および第２電極３２を挿入するためのスリット状の第１開口部１１２ａおよび第２開口部１１２ｂが設けられる。第１開口部１１２ａおよび第２開口部１１２ｂに挿入された第１電極３１および第２電極３２には、第１電極接続部３３および第２電極接続部３４が外側から図示しない孔部を通じて電気的に接続され、通電可能となる。第１電極３１および第２電極３２の底面側の外表面には、それぞれ第１電極３１、第２電極３２が導電性インクで印刷されるか、導電性ゴムなどの導電性材料で形成され、第１電極３１と第２電極３２の間で通電する。電気刺激モジュール１０は、正負一対の電極を一組含むが、変形例として複数組の電極を含んでもよい。
【００２１】
筐体２０は、基台２１の平面側中央に配置される。ただし、変形例として、基台２１の内部に筐体２０を設ける仕様としてもよい。筐体２０は、樹脂により形成された箱であり、電源部、無線通信モジュール、および、制御回路を収容する。筐体２０は、基台２１に対して着脱自在に取り付けられる。電源部は、リチウムイオン電池等の二次電池であるが、交換可能な一次電池であってもよい。電源部は、無線通信モジュールおよび制御回路に電気的に接続され、それぞれに電力を供給する。制御回路による運動制御プログラムにしたがった制御に基づき、電源部から第１電極接続ワイヤー３５および第１電極接続部３３、第２電極接続ワイヤー３６および第２電極接続部３４を介して第１電極３１、第２電極３２に電圧を印加する。筐体２０の平面側には、操作部としての電源ボタン２４、ペアリングボタン２５が設けられる。電源ボタン２４は電気刺激モジュール１０の電源オンオフ操作を受け付け、ペアリングボタン２５は無線通信の接続確立操作を受け付ける。基台２１の平面側周囲には、オスの面ファスナー３７が縫い付けられる。ただし、面ファスナー３７の平面において短手方向両端側のうち基台２１の外縁側だけを下地の基台２１に縫い付けて外縁縫目４２とし、内縁側は縫い付けないことにより、外縁縫目４２より内側はポケット状の空間が形成される。電気刺激モジュール１０の着脱時などにおいて基台２１の平面側に設置された第１電極接続ワイヤー３５、第２電極接続ワイヤー３６などの電気的配線が他の物に干渉されて位置が動いても面ファスナー３７のポケット内に収まることができ、電気刺激モジュール１０からはみ出すのを防止することができる。フィットネスウェア１０２の裏面に設けられた装着部（メスの面ファスナー）に対して、本図のオスの面ファスナー３７が付着することにより、電気刺激モジュール１０がフィットネスウェア１０２の裏面に装着される。不使用時には、基台２１から筐体２０を取り外し、電気刺激モジュール１０の面ファスナー３７を対応する装着部（メスの面ファスナー）に付着させる。この状態で洗濯することができるとともに、面ファスナーによって生地を破損させてしまうことを予防できる。変形例として、電気刺激モジュール１０にペアリングボタン２５を設ける代わりにＮＦＣ（Ｎｅａｒ  Ｆｉｅｌｄ  Ｃｏｍｍｕｎｉｃａｔｉｏｎ：近距離無線通信）タグを搭載させ、運動制御装置１２にはＮＦＣリーダーを搭載させてもよい。この場合、フィットネスウェア１０２に装着された各電気刺激モジュール１０内のＮＦＣタグをＮＦＣリーダーで読み取ることで、各電気刺激モジュール１０を認証して、それぞれを運動制御装置１２とペアリングすることができる。
【００２２】
図２（ｂ）は電気刺激モジュール１０の底面側斜視図である。タフタ生地等で形成される基台２１の底面側には、一対の電極収納部３９ａ，３９ｂが設けられる。電極収納部３９は、基台２１の１／３程度の大きさのシンカーパイルなどのパイル地が、その周囲が縁取られるようにポリエステルテープなどのテープ３８ａ，３８ｂで基台２１に貼り付けられることでポケット状に形成される。電極収納部３９にはポケット状の空間が内部に形成され、開口部１１２から第１電極接続部３３、第２電極接続部３４を挿入できる。基台２１の周囲も縁取られるようにポリエステルテープなどのテープ３８ｃ，３８ｄが貼られる。電極収納部３９のパイル地は保水性に優れるため、水を含浸させることができる。第１電極３１、第２電極３２は、少なくともその一部が電極収納部３９を介してユーザの身体側に近接し、後述する上半身用インナーウェア１２８または下半身用インナーウェア１３０に接触し得る。第１電極３１、第２電極３２は、保水した電極収納部３９に接触することで、通電状態を維持しやすい。以上のような電気刺激モジュール１０をフィットネスウェア１０２に複数装着する。複数の電気刺激モジュール１０は、フィットネスウェア１０２への装着部位、すなわち対応する身体部位に応じて個別の形状を有する。フィットネスウェア１０２への装着部位は、電気刺激を与えるべき対象身体部位に対応する複数箇所であり、例えばユーザの腹筋、脇腹、胸筋、背筋、腕、脚、臀部などの各身体部位に対応する箇所である。それらの箇所には、それぞれ電気刺激モジュール１０のオスの面ファスナー３７を装着するための、対応するメスの面ファスナーが縫い付けられる。
【００２３】
なお、変形例として、電気刺激モジュール１０の平面側全体を、例えばシリコンなどのエラストマーにより形成されるカバーで覆う仕様としてもよい。別の変形例においては、筐体２０は基台２１の中央ではなく、第１電極３１の上と第２電極３２の上のいずれかに載置する仕様としてもよい。別の変形例においては、筐体２０は基台２１の中央ではなく、第１電極３１の上と第２電極３２の上に分散載置される仕様でもよい。その場合、電源部、無線通信モジュール、制御回路が、分散された二つの筐体に分けて収容されるため、各筐体は本実施の形態における筐体２０より小さくすることができる。
【００２４】
図３は、変形例における電気刺激モジュール１０の電極付近の外観および断面を模式的に示す図である。図３（ａ）は変形例における電気刺激モジュール１０の底面側斜視図であり、この変形例においては一対の電極収納部３９ａ，３９ｂが厚みを持つ形状にて形成される。電極収納部３９ａ，３９ｂには第１電極３１、第２電極３２が収納されるとともに、ポリエチレン等の樹脂で形成されるクッション部材が内部に詰められて厚みを形成する。ポリエチレンは、肌あたりがよく、電波干渉のおそれが低く、また保水性が低いため加水分解の心配もない点でクッション部材として好適である。電気刺激モジュール１０の使用時には電極収納部３９ａ，３９ｂに温水をかけて保水させることで、通電状況を良好に保つことができる。図３（ｂ）は変形例における電気刺激モジュール１０の電極収納部３９の断面図であり、電極収納部３９には第１電極３１または第２電極３２とクッション部材４３が詰められている。第１電極３１、第２電極３２がユーザの身体に当たる側に設けられ、その高さを埋める形でクッション部材４３が第１電極３１、第２電極３２と基台２１の間に詰められる。クッション部材４３と第１電極３１、第２電極３２の間に第１電極接続ワイヤー３５、第２電極接続ワイヤー３６を配線する。このようにして、電極収納部３９ａ，３９ｂに厚みを持たせる。ここで、筐体２０が外部に露出していると、フィットネスウェア１０２をユーザの身体に密着させたときに身体に干渉して痛みの原因となることも考えられる。この点、電極収納部３９ａ，３９ｂの厚みを筐体２０より厚くすることで、筐体２０を設置するための空間を厚み方向に確保して筐体２０が身体に当りにくくすることができ、電気刺激モジュール１０を身体に密着させる場合の負荷を低減できる。
【００２５】
図４は、フィットネスウェアのうち上半身用衣服部の表面側を模式的に示す。図４（ａ）は上半身用衣服部１２０の正面側を示し、図４（ｂ）は上半身用衣服部１２０の背面側を示す。上半身用衣服部１２０は、例えば化学繊維で形成される。
【００２６】
上半身用衣服部１２０の両側面、すなわちユーザの脇腹近傍に対応する部位には、６本のベルト（第１ベルト１１６ａ、第２ベルト１１６ｂ、第３ベルト１１６ｃ、第４ベルト１１６ｄ、第５ベルト１１６ｅ、第６ベルト１１６ｆ）が設けられる。それぞれ一端が背面側の背骨近傍に固定的に取り付けられ、他端が正面側の脇腹近傍に固定的に取り付けられる。上半身用衣服部１２０の左右上面、すなわちユーザの両肩近傍に対応する部位には、２本のベルト（第７ベルト１１６ｇ、第８ベルト１１６ｈ）が設けられる。それぞれ一端が肩近傍に固定的に取り付けられ、他端が肩を越えて肩甲骨近傍に固定的に取り付けられる。以上の計８本のベルトは、上半身用衣服部を身体へ密着させるための締結部として機能する。
【００２７】
ユーザの左腹直筋近傍には、超音波プローブをユーザの身体に当てるために開けられたウェア側超音波プローブ用開口部１１７が設けられる。この開口部を通じて、ユーザは上半身用衣服部１２０を着たまま超音波プローブを使って脂肪と筋肉の厚みを測定することができる。ここで、ユーザがインナーウェアの上から超音波プローブを押し当てるにあたり、その押し当てる力にユーザの力加減が影響してしまうのを排除することが好ましい。そこで、ウェア側超音波プローブ用開口部１１７の周囲に、超音波プローブを固定する手段（例えばスナップ留め具、フック、面ファスナーなど）を設ける。これにより、測定の安定化と使用時の利便性向上を図ることができる。ウェア側超音波プローブ用開口部１１７と、第４ベルト１１６ｄ、第５ベルト１１６ｅ、第６ベルト１１６ｆとの間に、装飾ライン１１９が設けられる。装飾ライン１１９は左前身頃１５０の下端から略垂直に上がり、脇の下に向けて外側に湾曲する曲線である。右前身頃１５１にも身体中央のファスナーを中心として対称的な位置に対称的な形状の装飾ライン１１９が設けられる。これら装飾ライン１１９は、上半身用衣服部１２０における腹直筋用の電気刺激モジュール１０の設置位置と腹斜筋用の電気刺激モジュール１０の設置位置とを分ける境界線でもあり、装飾ライン１１９の下端がユーザの腸骨における上前腸骨棘の位置に合うようにデザインされている。これにより左右の装飾ライン１１９の間に位置する電気刺激モジュール１０が腹直筋に適切に当たるように設計される。
【００２８】
図５は、上半身用衣服部１２０の右前身頃の内部構造を模式的に示す図である。図示はしないが、左前身頃の内部構造は本図を反転させたものに相当する。上半身用衣服部１２０の右前身頃の内部には、第１ベルト１１６ａ，第２ベルト１１６ｂ、第３ベルト１１６ｃ、第７ベルト１１６ｇの各一端が縫い付けられている。ただし、第７ベルト１１６ｇはその一端である端部１３３と、その端部１３３に束ねられて縫い付けられるベルト端１３４ａ、ベルト端１３４ｂとで三つ叉状に形成され、その三つ叉部分が右前身頃１５１の胸部にて面的な範囲で縫い付けられる。これにより、胸部から肩にかけて長い範囲でベルトが収縮することとなり、胸部の密着感を高めることができる。第１ベルト１１６ａ、第２ベルト１１６ｂ、第３ベルト１１６ｃの各端部は、前身頃中央のファスナー際で右前身頃１５１に縫い付けられることで、前身頃中央から脇腹にかけて長く広い範囲で各ベルトが収縮することとなり、腹部に対して適度な密着感が実現される。各ベルトを上半身用衣服部１２０の前身頃における内部に設けることで、前面外部にベルトを配置するのに比べて外観の意匠性を向上させることができ、また、ベルトの伸縮時に周りのものを挟み込んでしまうことを抑制することができる。前身頃と後ろ身頃の肩の部分を互いに面ファスナーで留める構造により、脇下の長さを調整することができる。
【００２９】
図６は、ベルトを拡大した図である。図６（ａ）に示す通り、ベルト１１６には、角カン１４０およびアジャスター機能付きのコキ１４１が装着されている。ベルト１１６は、角カン１４０とコキ１４１のそれぞれで折り返され、コキ１４１を引っ張ることで角カン１４０とコキ１４１の間で三重となる部分の長さを調節することによりベルト１１６の締め具合を調節することができる。このようにベルト１１６をユーザの体型に合わせて締めることにより、上半身用衣服部１２０を身体に密着させることができる。また、各ベルト１１６は、後述する通りに配置された電気刺激モジュール１０を上から押さえ込む位置に設けられており、ベルト１１６を締めることによって電気刺激モジュール１０を身体に密着させることができる。ただし、胸部に関してはベルト１１６ではなく前身頃の面で締める構造とすることにより、ユーザごとの体型に合わせた密着度を保つことができる。図６（ｂ）はコキ１４１の形状例である。コキ１４１を図のような略台形の形状で構成してもよい。このコキ１４１は、ベルト１１６を通すスリットを下底側に、ユーザがコキ１４１を引っ張りやすいように人差し指等の指が引っかけられるような略三角形ないし山形状の突部を上底側に含み、全体として台形の形状を有する。この台形形状により、ユーザが人差し指等で締付け動作をする際に引張動作が多少上下した場合でも適切に力を加えて締め付けることができる。この場合、ベルト１１６が伸縮性を有してもよく、例えば筋肉への電気刺激が開始した後に筋肉の収縮によって太さに変化があった場合でも容易にその太さ変化に追従することができる。
【００３０】
図７は、フィットネスウェアのうち上半身用衣服部の裏面において各身体部位に対応する位置に電気刺激モジュールを装着するための装着部とその配置を模式的に示す。上半身用衣服部１２０は、左前身頃１５０、右前身頃１５１、左脇腹１５２、右脇腹１５３、左後ろ身頃１５４、右後ろ身頃１５５のそれぞれの端部が面接続されて構成される。左前身頃１５０と左脇腹１５２、右前身頃１５１と右脇腹１５３、左後ろ身頃１５４と左脇腹１５２、右後ろ身頃１５５と右脇腹１５３がそれぞれ面ファスナーで着脱自在に接続される。また、左前身頃１５０、右前身頃１５１の肩部分にはメスの面ファスナーである第１肩装着部１６０ａと第３肩装着部１６０ｃが縫い付けられる。左後ろ身頃１５４、右後ろ身頃１５５の肩部分にはオスの面ファスナーである第２肩装着部１６０ｂと第４肩装着部１６０ｄが縫い付けられる。第１肩装着部１６０ａと第２肩装着部１６０ｂがユーザの体格に合う肩の長さ、位置にて着脱自在に留められ、第３肩装着部１６０ｃと第４肩装着部１６０ｄもまたユーザの体格に合う肩の長さ、位置にて着脱自在に留められる。
【００３１】
上半身用衣服部１２０の裏面における電気刺激モジュール１０の装着部位は、電気刺激を与えるべき対象身体部位に対応する複数箇所であり、例えばユーザの腹筋、脇腹、胸筋、背筋などの各身体部位に対応する箇所である。それらの箇所には、それぞれ電気刺激モジュール１０のオスの面ファスナー３７を装着するための装着部３０として、対応するメスの面ファスナーが縫い付けられる。腹筋に対応する箇所には、第１装着部３０ａ、第２装着部３０ｂが縫い付けられ、これらは第１電気刺激モジュール１０ａ、第２電気刺激モジュール１０ｂの平面を縁取るオスの面ファスナーの形状に対応する。同様に、脇腹に対応する箇所には、第３電気刺激モジュール１０ｃ、第４電気刺激モジュール１０ｄに対応する第３装着部３０ｃ、第４装着部３０ｄが縫い付けられる。胸筋に対応する箇所には、第５電気刺激モジュール１０ｅ、第６電気刺激モジュール１０ｆに対応する第５装着部３０ｅ、第６装着部３０ｆが縫い付けられる。背筋に対応する箇所には、第１１電気刺激モジュール１０ｋ、第１２電気刺激モジュール１０ｌに対応する第１１装着部３０ｋ、第１２装着部３０ｌが縫い付けられる。上半身用衣服部１２０のユーザの左腹直筋近傍には、超音波プローブをユーザの身体に当てるために開けられたウェア側超音波プローブ用開口部１１７が設けられる。
【００３２】
図８は、前身頃と脇腹と後ろ身頃の接続部分およびその拡大部分を示す図である。ユーザの体型や体格に合わせて適切なサイズのフィットネスウェアを用意するには、特に周長の変化に自在に対応させる必要がある。例えば、ユーザが痩せすぎている場合、ウェアのサイズ調整が利かないと単にベルトをきつく締めるだけではウェアに皺が寄ってしまい、電気刺激モジュール１０が浮いて電極が身体から離れてしまうおそれがある。また例えば、ユーザが太りすぎている場合、ウェアのサイズ調整が利かないと電気刺激モジュール１０の電極が想定する身体部位に届かないおそれがある。この点、図示する通り、左脇腹１５２と左前身頃１５０、左脇腹１５２と左後ろ身頃１５４を、ユーザの体型や体格に合わせて調整しながら面ファスナーで取り付けることにより、１つのウェアで自在に様々な周長に合うよう調整が可能となる。また、左脇腹１５２と右脇腹１５３を交換可能にすることでも、ユーザの体型や体格に合わせて調整しながら１つのウェアで自在に様々な周長に合うよう調整が可能となる。例えば、腹囲が突出して大きいユーザに対しては、左脇腹１５２と右脇腹１５３の形状を上底の小さい台形状にすることで、腹部の膨らみに適合させることができる。また例えば、腹囲より胸囲の方が大きいユーザに対しては、下底の小さい台形状にすることで、胸部の膨らみに適合させることができる。
【００３３】
図９は、フィットネスウェアのうち上半身用衣服部の裏面において各装着部に電気刺激モジュールを装着した状態を模式的に示す。腹筋に対応する第１装着部３０ａ、第２装着部３０ｂには、第１電気刺激モジュール１０ａ、第２電気刺激モジュール１０ｂが装着され、脇腹に対応する第３装着部３０ｃ、第４装着部３０ｄには、第３電気刺激モジュール１０ｃ、第４電気刺激モジュール１０ｄが装着される。胸筋に対応する第５装着部３０ｅ、第６装着部３０ｆには、第５電気刺激モジュール１０ｅ、第６電気刺激モジュール１０ｆが装着され、背筋に対応する第１１装着部３０ｋ、第１２装着部３０ｌには、第１１電気刺激モジュール１０ｋ、第１２電気刺激モジュール１０ｌが装着される。
【００３４】
第１電気刺激モジュール１０ａおよび第２電気刺激モジュール１０ｂは、左右の腹直筋に電気刺激を与える。第３電気刺激モジュール１０ｃおよび第４電気刺激モジュール１０ｄは、左右の腹斜筋に電気刺激を与える。第５電気刺激モジュール１０ｅおよび第６電気刺激モジュール１０ｆは、左右の胸筋に電気刺激を与える。第１１電気刺激モジュール１０ｋおよび第１２電気刺激モジュール１０ｌは、左右の背筋に電気刺激を与える。なお、図においては上半身用衣服部１２０は主に男性用に電気刺激モジュール１０が配置された例を示すが、女性用には電気刺激モジュール１０の配置や大きさ等が異なってもよい。
【００３５】
上半身用衣服部１２０のユーザの左腹直筋近傍には、超音波プローブをユーザの身体に当てるために開けられたウェア側超音波プローブ用開口部１１７が設けられるため、これに合わせて第２電気刺激モジュール１０ｂにもモジュール側超音波プローブ用開口部１１８が設けられる。これにより、ユーザは上半身用衣服部１２０を着たまま超音波プローブを使って脂肪と筋肉の厚みを測定することができる。
【００３６】
図１０は、フィットネスウェアのうち下半身用衣服部の表面側を模式的に示す。図１０（ａ）は下半身用衣服部１２２の正面側を示し、図１０（ｂ）は下半身用衣服部１２２の背面側を示す。下半身用衣服部１２２は、例えば化学繊維で形成される。
【００３７】
下半身用衣服部１２２の両側面上方、すなわちユーザの両腰に対応する部位には、２本のベルト（第９ベルト１１６ｉ、第１０ベルト１１６ｊ）が設けられる。それぞれ一端が背面側の仙骨近傍に固定的に取り付けられ、他端が正面側の腸骨近傍に固定的に取り付けられる。下半身用衣服部１２２の両側面下方、すなわちユーザの両脚外側に対応する部位には、４本のベルト（第１１ベルト１１６ｋ、第１２ベルト１１６ｌ、第１３ベルト１１６ｍ、第１４ベルト１１６ｎ）が設けられる。それぞれ一端が背面側の内股近傍に固定的に取り付けられ、他端が正面側の大転子近傍に固定的に取り付けられる。以上の計６本のベルトは、下半身用衣服部を身体へ密着させるための締結部として機能する。
【００３８】
図１１は、フィットネスウェアのうち下半身用衣服部の裏面において各身体部位に対応する位置に電気刺激モジュールを装着するための装着部とその配置を模式的に示す。下半身用衣服部１２２の裏面における電気刺激モジュール１０の装着部位は、電気刺激を与えるべき対象身体部位に対応する複数箇所であり、例えばユーザの大腿四頭筋、大腿二頭筋、臀部などの各身体部位に対応する箇所である。それらの箇所には、それぞれ電気刺激モジュール１０のオスの面ファスナー３７を装着するための装着部３０として、対応するメスの面ファスナーが縫い付けられる。大腿四頭筋に対応する箇所には、第１３装着部３０ｍ、第１４装着部３０ｎが縫い付けられ、これらは第１３電気刺激モジュール１０ｍ、第１４電気刺激モジュール１０ｎの平面を縁取るオスの面ファスナーの形状に対応する。同様に、臀部に対応する箇所には、第１５電気刺激モジュール１０ｏ、第１６電気刺激モジュール１０ｐに対応する第１５装着部３０ｏ、第１６装着部３０ｐが縫い付けられる。大腿二頭筋に対応する箇所には、第１７電気刺激モジュール１０ｑ、第１８電気刺激モジュール１０ｒに対応する第１７装着部３０ｑ、第１８装着部３０ｒが縫い付けられる。
【００３９】
図１２は、フィットネスウェアのうち下半身用衣服部の裏面において各装着部に電気刺激モジュールを装着した状態を模式的に示す。大腿四頭筋に対応する第１３装着部３０ｍ、第１４装着部３０ｎには、第１３電気刺激モジュール１０ｍ、第１４電気刺激モジュール１０ｎが装着され、臀部に対応する第１５装着部３０ｏ、第１６装着部３０ｐには、第１５電気刺激モジュール１０ｏ、第１６電気刺激モジュール１０ｐが装備される。大腿二頭筋に対応する第１７装着部３０ｑ、第１８装着部３０ｒには、第１７電気刺激モジュール１０ｑ、第１８電気刺激モジュール１０ｒが装着される。
【００４０】
第１３電気刺激モジュール１０ｍおよび第１４電気刺激モジュール１０ｎは、左右の大腿四頭筋に電気刺激を与える。第１５電気刺激モジュール１０ｏおよび第１６電気刺激モジュール１０ｐは、左右の大臀筋に電気刺激を与える。第１７電気刺激モジュール１０ｑおよび第１８電気刺激モジュール１０ｒは、左右の大腿二頭筋に電気刺激を与える。なお、図においては上半身用衣服部１２０は主に男性用に電気刺激モジュール１０が配置された例を示すが、女性用には電気刺激モジュール１０の配置や大きさ等が異なってもよい。
【００４１】
図１３は、変形例における下半身用衣服部の表面側を模式的に示す。本図の例では、下半身用衣服部１２２のうち大腿四頭筋に対応する部分以外の前身頃が省略されて、腹部にてベルトを締める形式である点で図１０の例とは異なる。図１３（ａ）は変形例における下半身用衣服部１２２の正面側を示し、図１３（ｂ）は変形例における下半身用衣服部１２２の背面側を示す。腹部ないし腰部に巻いて留めるベルトは、面ファスナーで留める形式であり、ベルトの一方の面ファスナーは面を大きくとり、対応する他方の面ファスナーは伸縮性を得るために面ファスナーの面積を小さくする。このようなベルトを先に腰部へ巻き付けてから大腿部への下半身用衣服部１２２を巻き付けることで、下半身用衣服部１２２の装着位置の位置決めが容易となる。
【００４２】
図１４は、変形例における下半身用衣服部の内部構造を模式的に示す図である。図１４（ａ）は変形例における下半身用衣服部１２２の正面側内部構造を示し、図１４（ｂ）は変形例における下半身用衣服部１２２の背面側内部構造を示す。本図（ｂ）では、大臀筋の締め付け強化のために大臀筋に対応する部位にパワーネット生地１６５を縫い付ける例を示す。パワーネット生地１６５の一端は、後ろ身頃中央近傍にて下半身用衣服部１２２に縫い付けられて大臀筋の広い範囲をパワーネット生地１６５が覆うようにする。パワーネット生地１６５の他端には調整ベルト１６６が取り付けられ、ユーザが調整ベルト１６６の引っ張り加減を調整してパワーネット生地１６５の大臀筋への締め付けを調整できる。また、大腿部にベルト孔を設け、ベルトを通すことで上下のずれを抑制する仕様としてもよい。ベルトは、電気刺激モジュール１０の電極を上から押さえる位置に設けられる。
【００４３】
図１５は、変形例における下半身用衣服部の裏面側において各装着部に電気刺激モジュールを装着した状態を模式的に示す。第１３電気刺激モジュール１０ｍおよび第１４電気刺激モジュール１０ｎは、左右の大腿四頭筋に電気刺激を与える。第１５電気刺激モジュール１０ｏおよび第１６電気刺激モジュール１０ｐは、左右の大臀筋に電気刺激を与える。第１７電気刺激モジュール１０ｑおよび第１８電気刺激モジュール１０ｒは、左右の大腿二頭筋に電気刺激を与える。なお、図においては上半身用衣服部１２０は主に男性用に電気刺激モジュール１０が配置された例を示すが、女性用には電気刺激モジュール１０の配置や大きさ等が異なってもよい。
【００４４】
図１６は、フィットネスウェアのうちアームバンド１２４の表面側を模式的に示す。アームバンド１２４は、第１基台４０、第２基台４１、第１５ベルト１１６ｏ、第１６ベルト１１６ｐとを含んで構成される。第１基台４０、第２基台４１は、それぞれユーザの上腕二頭筋と上腕三頭筋に当たるように設けられ、第１基台４０、第２基台４１の表側に第１５ベルト１１６ｏと第１６ベルト１１６ｐが通される。第１５ベルト１１６ｏと第１６ベルト１１６ｐは、ユーザの腕に密着させるための締結部として機能する。第１基台４０、第２基台４１の裏側にはそれぞれ電気刺激モジュール１０が装着される。
【００４５】
図１７は、フィットネスウェアのうちアームバンド１２４の裏面において各身体部位に対応する位置に電気刺激モジュールを装着するための装着部とその配置を模式的に示す。第１基台４０および第２基台４１のそれぞれの裏面が電気刺激モジュール１０の装着部位であり、それぞれ電気刺激を与えるべき対象身体部位であるユーザの上腕二頭筋と上腕三頭筋に対応する箇所である。それらの箇所には、それぞれ電気刺激モジュール１０のオスの面ファスナー３７を装着するための装着部３０として、対応するメスの面ファスナーが縫い付けられる。第１基台４０の裏面には、第７装着部３０ｇまたは第９装着部３０ｉが縫い付けられ、第２基台４１の裏面には、第８装着部３０ｈまたは第１０装着部３０ｊが縫い付けられる。これらは第７電気刺激モジュール１０ｇまたは第９電気刺激モジュール１０ｉと第８電気刺激モジュール１０ｈまたは第１０電気刺激モジュール１０ｊの平面を縁取るオスの面ファスナーの形状に対応する。
【００４６】
図１８は、フィットネスウェアのうちアームバンド１２４の裏面において各装着部に電気刺激モジュールを装着した状態を模式的に示す。第１基台４０の裏面における第７装着部３０ｇまたは第９装着部３０ｉには、第７電気刺激モジュール１０ｇまたは第９電気刺激モジュール１０ｉが装着される。第２基台４１の裏面における第８装着部３０ｈまたは第１０装着部３０ｊには、第８電気刺激モジュール１０ｈまたは第１０電気刺激モジュール１０ｊが装着される。なお、これら４つの電気刺激モジュール１０は便宜上、符号を異にしているが共通のモジュールである。
【００４７】
図１９は、上半身用のインナーウェアを模式的に示す。図１９（ａ）は正面側であり、図１９（ｂ）は背面側である。上半身用衣服部である上半身用インナーウェア１２８は、上半身用衣服部１２０の裏面に装着された電気刺激モジュール１０の電極がユーザの肌に直接触れないよう上半身用衣服部１２０の下層に着用する衣服であり、例えば化学繊維で形成される。上半身用インナーウェア１２８は、通常は上半身の肌に直接触れる形で着用される。上半身用インナーウェア１２８には、電気刺激モジュール１０の電極が当接し得る箇所に絶縁部材によるコーティングが施され、ユーザの肌への直接の通電を防ぐ。筋肉電気刺激装置では電極を直接に触れさせて使用するのが一般的である。しかし、本実施の形態のように全身運動をしながら筋肉電気刺激装置を使用する前提ではユーザの発汗量が多く、発汗領域も広いため、電極を直接肌に触れさせる方法では通電する領域が広く単位面積あたりの電気刺激が弱まるおそれがある。また従来のように、インナーウェアを濡らせて保水させることで電極から肌に通電させる方式を採用した場合も、通電する領域が広く単位面積あたりの電気刺激が弱まるおそれがある上、そもそも電極間の通電のためにインナーウェア全体を水で濡らしたまま運動することはユーザにとって不快の原因となる。そのため、本実施の形態ではインナーウェアにおける電極に接触する位置に絶縁層を設けることで肌と電極を絶縁することとし、インナーウェアをわざわざ水で濡らす必要性をなくす。その結果、電極に近接した身体部位にだけ絶縁層を介して局所的に電気刺激を加えることができる。
【００４８】
上半身用インナーウェア１２８には、上半身用衣服部１２０に装着された電気刺激モジュール１０の電極に対応する箇所に同程度または広い形状および大きさの絶縁部１３２が設けられる。腹筋周辺には第１絶縁部１３２ａ、第２絶縁部１３２ｂが設けられ、脇腹には第３絶縁部１３２ｃ、第４絶縁部１３２ｄが設けられる。左右の胸部には第５絶縁部１３２ｅ、第６絶縁部１３２ｆが設けられ、右の腕部には第７絶縁部１３２ｇ、第８絶縁部１３２ｈが設けられ、左の腕部には第９絶縁部１３２ｉ、第１０絶縁部１３２ｊが設けられる。背筋周辺には絶縁部１３２ｋ、第１２絶縁部１３２ｌが設けられる。第１〜１２絶縁部１３２ａ〜ｌには、それらの意匠性を向上させるために、電極の形状を象った模様である電極対応部１３５が２つずつ施される。変形例として、電極対応部１３５を導電性物質で形成して導電部としてもよい。この場合も、導電性物質である電極対応部１３５の周囲を非導電性物質である絶縁部１３２が囲むこととなり、電極と同程度の範囲の領域にだけ通電が可能となり、単位面積あたりの電気刺激が弱まる心配もなく、インナーウェアを水で濡らして保水する必要もない。
【００４９】
図２０は、下半身用のインナーウェアを模式的に示す。図２０（ａ）は正面側であり、図２０（ｂ）は背面側である。下半身用衣服部である下半身用インナーウェア１３０は、下半身用衣服部１２２の裏面に装着された電気刺激モジュール１０の電極がユーザの肌に直接触れないよう下半身用衣服部１２２の下層に着用する衣服であり、例えば化学繊維で形成される。上半身用インナーウェア１２８と同様、下半身用衣服部１２２に装着された電気刺激モジュール１０の電極に対応する箇所に同程度の大きさおよび形状の絶縁部１３２が設けられる。左右の大腿四頭筋周辺には第１３絶縁部１３２ｍ、第１４絶縁部１３２ｎが設けられ、左右の臀部には第１５絶縁部１３２ｏ、第１６絶縁部１３２ｐが設けられる。左右のハムストリングス周辺には第１７絶縁部１３２ｑ、第１８絶縁部１３２ｒが設けられる。第１３〜１８絶縁部１３２ｍ〜ｒには、それらの意匠性を向上させるために、電極の形状を象った模様である電極対応部１３５が２つずつ施される。変形例として、電極対応部１３５を導電性物質で形成して導電部としてもよい。この場合も、導電性物質である電極対応部１３５の周囲を非導電性物質である絶縁部１３２が囲むこととなり、電極と同程度の範囲の領域にだけ通電が可能となり、単位面積あたりの電気刺激が弱まる心配もなく、インナーウェアを水で濡らして保水する必要もない。
【００５０】
図２１は、電気刺激モジュール１０の機能構成を示すブロック図である。電気刺激モジュール１０は、電源部２２、制御部２８、無線通信部５８を備える。電源部２２、制御部２８、無線通信部５８は筐体２０に収められる。制御部２８は、電源制御部５０、通電検知部５２、電気刺激制御部５４、設定部５６を含む。
【００５１】
制御部２８の各ブロックは、ハードウェア的には、集積回路をはじめとする素子や機械装置で実現でき、ソフトウェア的にはコンピュータプログラム等によって実現されるが、ここでは、それらの連携によって実現される機能ブロックを描いている。したがって、これらの機能ブロックはハードウェア、ソフトウェアの組合せによっていろいろなかたちで実現できることは、本明細書に触れた当業者には理解されるところである。図２０の各ブロックについても同様である。
【００５２】
電源制御部５０は、電源部２２の充電を制御するとともに、充電状態を示す情報を無線通信部５８を介して運動制御装置１２へ送信する。通電検知部５２は、電極間で通電可能であるかを検知するために、第１電極３１と第２電極３２との間で抵抗値を検出する。通電検知部５２は、検出した抵抗値が閾値未満の場合は通電可能として検知し、検出した抵抗値が閾値以上の場合は通電不可として検知する。電気刺激制御部５４は、通電検知部５２によって通電可能として検知されると、所定の動作時間（例えば１０分）、所定の周期（例えば、周波数が２０Ｈｚとなる周期）で、第１電極３１と第２電極３２の間に設定電圧を印加する。すなわち、電気刺激モジュール１０が装着された箇所、例えばユーザの腹筋、脇腹、胸部、腕部、脚部、臀部等に電気刺激を与える。
【００５３】
無線通信部５８は、近距離無線通信を介して運動制御装置１２から設定電圧の情報を受信して設定部５６に送る。無線通信部５８が運動制御装置１２から設定電圧値の情報、あるいは、設定電圧値の増加や減少を指示する情報を受信した場合、設定部５６は受信した情報に基づいて印加する設定電圧値を増減させる。設定電圧値の増減がなされるたびに、電気刺激制御部５４は新たな設定電圧値にて電極間に電圧を印加することで、新たな設定電圧値、すなわち運動強度をユーザに体感させ、確認させる。設定電圧値は、例えば１００段階の強度としていずれかの値が設定できる。無線通信部５８は、運動中、すなわち電圧印加中も運動強度の増減指示を運動制御装置１２から受信した場合は設定電圧値を増減する。ただし、接続中の運動制御装置１２以外から運動強度の増減指示を受信しても無視し、他の装置からの運動強度の増減指示にはしたがわない。ユーザ以外の他者によって勝手に電圧値を増減されてしまうことを防止するためである。無線通信部５８は、電気刺激制御部５４による電圧印加状態、すなわち運動実行状態を示す情報を運動制御装置１２へ送信してもよい。
【００５４】
＜運動制御装置＞
図２２は、運動制御装置１２の機能的構成を示す機能ブロック図である。運動制御装置１２は、制御部７０、無線通信部７１、有線通信部７２、表示部７４を含む。制御部７０は、表示制御部６１、設定処理部６３、情報管理部６５、超音波計測部６６を含む。
【００５５】
無線通信部７１は、電気刺激モジュール１０との間で近距離無線通信により情報を送受信する。無線通信部７１は、複数ユーザの複数の電気刺激モジュール１０と情報を送受信する。ユーザ一人あたり１８個の電気刺激モジュール１０を使用する場合、７人のユーザで合計１２６個の電気刺激モジュール１０と一斉に通信する必要があるため、主に一方向のブロードキャスト通信を用いることとし、必要に応じてペアリングによる双方向通信を用いる。双方向通信の場合、電気刺激モジュール１０から受け取る情報には、ユーザ登録や個体管理に用いられる個体識別情報や一意のネットワークアドレス（ＭＡＣアドレス）が含まれていてもよい。表示部７４は、液晶パネルや有機ＥＬパネルなどのタッチパネル式表示装置であり、情報を画面に表示するとともに、ユーザまたはトレーナーの操作入力を受け付ける。
【００５６】
設定処理部６３は、ユーザまたはトレーナーによる表示部７４への操作入力に基づいてユーザごとに複数の電気刺激モジュール１０の動作内容を設定する。設定処理部６３は、複数ユーザの複数の身体部位に対してそれぞれ別個の動作内容を設定できる。設定処理部６３は、動作内容として筋肉電気刺激装置による電気刺激の強度、すなわち１００段階のうちいずれかのレベルの電圧値を設定する。設定処理部６３は、無線通信部７１を介して動作内容を示す情報をすべての電気刺激モジュール１０にブロードキャスト通信で送信することによりその電気刺激モジュール１０による運動を制御する。例えば、設定処理部６３は運動開始信号、一時停止信号、終了信号、電圧値信号等を電気刺激モジュール１０へ送信することで電気刺激モジュール１０を制御する。一方、電気刺激モジュール１０における通信によるバッテリー消費を抑えるため、通信は最小限に留めるのが設計上好ましい。例えば、電気刺激モジュール１０に設定した電圧値や運動制御プログラムのデータは情報管理部６５に記憶させることとし、電気刺激モジュール１０から電圧値の情報は取得しない。また、運動の終了信号の送受信はせずに、所定時間経過後に運動プログラムが終了したものとして判断してもよい。
【００５７】
表示制御部６１は、運動プログラムの実行状況、電気刺激モジュール１０の設定状況および動作状況等に関する内容を表示部７４に表示する。表示制御部６１は、運動プログラムに基づいて表示装置１０６へ手本の映像等を表示させるために表示制御装置１０４へ運動プログラムの実行状況に関するデータを有線通信部７２を介して送信する。表示制御部６１は、人体モデルの画像を表示するとともに、電気刺激モジュール１０の制御状態に合わせて電圧パルスのリズムや運動中の筋肉の動きを動的に示す映像を表示制御装置１０４を介して表示装置１０６に表示させる。
【００５８】
超音波計測部６６は、電気刺激モジュール１０に接続された超音波プローブ１３（超音波センサ）により検出される検出値に基づいて、ユーザの身体部位における皮下脂肪および筋肉の断層像を生成して表示部７４に表示させる。例えば、運動プログラムを開始する前に一定時間計測して、表示部７４に画像を表示させる。表示制御部６１は、皮下脂肪および筋肉の断層像を、ユーザ本人にのみ表示するため、複数のユーザが視聴できる表示装置１０６には表示させず、表示部７４にのみ表示する。変形例として、表示制御部６１は、運動プログラムの実行中においてリアルタイムに筋肉の断面の動きを表示させてもよい。
【００５９】
以上、本発明について実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。そうした変形例を以下挙げる。
【００６０】
変形例においては、電気刺激モジュール１０の筐体２０をフィットネスウェア１０２から露出させるために、フィットネスウェア１０２に孔部を設けてもよい。この場合、締め付け時の筐体２０による肌当たりや身体への圧迫をさらに軽減できる。筐体２０を直接操作するかたちで運動制御装置１２から独立して使用可能にしてもよい。
【００６１】
フィットネスウェア１０２に芳香剤等を格納する手段を設けてもよい。この場合、トレーニングの結果として発する汗等の匂いを緩和できる。フィットネスウェア１０２の素材として、通気性の低い素材（例えば、クロロプレンゴムやポリウレタン）を採用してもよい。この場合、発汗による運動効果の向上、通電性の安定化が図れる。逆に、フィットネスウェア１０２の素材として、通気性の高い素材を採用してもよい。この場合、洗濯や乾燥がしやすくなる。
【００６２】
フィットネスウェア１０２の上半身用衣服部１２０と下半身用衣服部１２２とを接続する部品を設けてもよい。この場合、トレーニング時の衣服のずれが抑えられる。接続する位置としては、背骨を外した両背面でもよい。人体は前屈の可動範囲の方が広いため後方で接続する方が好ましい。ベルトや面ファスナー部位に目盛を設けてもよい。調整する際の目安になり、装着者以外が締め付けを行う場合にも操作しやすい。
【符号の説明】
【００６３】
１０  電気刺激モジュール、  ２１  基台、  ３０  装着部、  ３１  第１電極、  ３２  第２電極、  １３  超音波プローブ、  １００  運動制御システム、  １０２  フィットネスウェア、  １１２  開口部、  １１６  ベルト、  １２０  上半身用衣服部、  １２２  下半身用衣服部、  １２４  アームバンド、  １２８  上半身用インナーウェア、  １３０  下半身用インナーウェア、  １３２  絶縁部。
【図１】
2019151957.tif 000003
【図２】
2019151957.tif 000004
【図３】
2019151957.tif 000005
【図４】
2019151957.tif 000006
【図５】
2019151957.tif 000007
【図６】
2019151957.tif 000008
【図７】
2019151957.tif 000009
【図８】
2019151957.tif 000010
【図９】
2019151957.tif 000011
【図１０】
2019151957.tif 000012
【図１１】
2019151957.tif 000013
【図１２】
2019151957.tif 000014
【図１３】
2019151957.tif 000015
【図１４】
2019151957.tif 000016
【図１５】
2019151957.tif 000017
【図１６】
2019151957.tif 000018
【図１７】
2019151957.tif 000019
【図１８】
2019151957.tif 000020
【図１９】
2019151957.tif 000021
【図２０】
2019151957.tif 000022
【図２１】
2019151957.tif 000023
【図２２】
2019151957.tif 000024